(57)【特許請求の範囲】
【請求項１】
フラットスクリーンを取付け動作中のフラットスクリーンを冷却するための装置であって、フラットスクリーンと熱発生電気および若しくは電子ユニットを収容するためのハウジング（２）と、これらのユニットによって発生された熱をハウジングの熱伝導背壁（４）に伝導するための少なくとも一つの熱ブリッジ（８）とを含み、前記壁にハウジング（２）の背面で複数の煙突状キャビティ（６）を形成するプロフィール（５）が備えられ、冷却空気をそれぞれのキャビティ内に供給するための少なくとも一つの開口部（１５）が各キャビティの下方端部に形成され、加熱された空気をキャビティから大気中に放出するための少なくとも一つのアウトレット開口部（１６）が各キャビティの上方端部に形成され、
ハウジング（２）の背壁（４）がキャビティ（６）に隣接し配置された複数の貫通ホール（１７）を含み、前記貫通ホール（１７）が前記キャビティ（６）から熱発生ユニットと背壁（４）との間に配置されたスペース（１０）へ空気を供給し前記スペース（１０）から前記キャビティ（６）に加熱された空気を放出するようにしたことを特徴とする装置。
【請求項２】
ハウジングがハウジングフレームからなり、また熱伝導性材料からなる熱ブリッジ（８）がハウジングフレーム（３）に固定されたプリント回路板（７）の少なくとも一つの位置に形成され、フラットスクリーンの複数の発熱要素が前記プリント回路板上に配設され、前記熱ブリッジがハウジング（２）の背壁（４）に向けて方向付けられて、動作に際して背壁（４）と接触する請求項１に記載の装置。
【請求項３】
動作中に過熱されるプリント回路板（７）とフラットスクリーンの最終前面ガラス板間の空気が、プリント回路板（７）と背壁（４）間のスペース（１０）に少なくとも一つのチャネルを介して導入される請求項２に記載の装置。
【請求項４】
プロフィール（５）がねじによって背壁（４）に固定されている請求項１から３の一つに記載の装置。
【請求項５】
煙突状キャビティ（６）が本質的にカートリッジ状断面を有し、外部に向けて丸くなった頂点を有している請求項１から３の一つに記載の装置。
【請求項６】
煙突状キャビティ（６）が本質的にカートリッジ状断面を有し、外部に向けて丸くなった頂点を有している請求項４に記載の装置。
【請求項７】
煙突状キャビティ（６）が各々互いにスペースを有している請求項１から３の一つに記載の装置。
【請求項８】
ハウジングフレーム（３）と背壁（４）が押出アルミニウムで形成されている請求項２と３の一つに記載の装置。
【請求項９】
ハウジングフレーム（３）がレーザ溶接によって結合された複数の部品からなる請求項８に記載の装置。
【請求項１０】
フラットスクリーンを取付け動作中のフラットスクリーンを冷却する装置であって、フラットスクリーンを収容するハウジング（２）を含み、また熱発生電気および電子ユニットと、これらのユニットによって発生された熱をハウジングの背面に配置された熱伝導板に伝導するための少なくとも一つの熱ブリッジ（８）とを含み、前記板がこの板の高速冷却のためのプロフィール（５）を備えている装置において、
板がハウジング（２）の背壁（４）を形成し、プロフィール（５）がハウジング（２）の背面上にねじによって固定されるとともに、背壁と一緒に複数の煙突状キャビティ（６）を形成しており、前記キャビティが相互間隔をおいて配置され、実質的に外方向を向いた丸みのある頂点を有するカートリッジ状キャビティを有するとともに、各々下方端部（１２）と上方端部からなり、冷却空気をそれぞれのキャビティ（６）に供給するための少なくとも一つの開口部（１５）が下方端部に形成され、また、加熱された空気をキャビティ（６）から大気中に放出するための少なくとも一つのアウトレット開口部（１６）が上方端部に形成されており、
ハウジング（２）の背壁（４）にキャビティ（６）のエリア内に配置された複数の貫通ホール（１７）が設けられ、前記貫通ホール（１７）が発熱ユニットと背壁（４）間に配備されたスペース（１０）へ空気を供給し、また、これから空気を放出する作用をし、
ハウジングがハウジングフレームからなり、また熱伝導性材料からなる熱ブリッジ（８）がハウジングフレーム（３）上に固定されたプリント回路板（７）の少なくとも一つの位置に形成されており、フラットスクリーンの複数の発熱要素が前記プリント回路板上に配備されており、前記熱ブリッジがハウジング（２）の背壁（４）に向けて方向付けられて、動作状態で背壁（４）と接触しており、動作中加熱されるプリント回路板（７）とフラットスクリーンの最終前面ガラス板間の空気が、プリント回路板（７）と背壁（４）間のスペース（１０）に少なくとも一つのチャネルを介して導入される、フラット・スクリーンを取付け、冷却する装置。
【発明の詳細な説明】
【０００１】
（発明の分野）
本発明はフラットスクリーンを取付け、冷却する装置に関する。
【０００２】
スクリーンの対角線に対するスクリーン・ユニットの深さの比が、約１０：１またはそれ以上であれば、フラットスクリーンと呼ぶことができる。このタイプのフラットスクリーンは、電子管技術を使用する従来的に使用されている装置と比較してスペースと重量が基本的に減少するという事実のために接地されて利得が得られ、またこれらのフラットスクリーンは従来のスクリーンとすぐに取って代わるだろう。フラットスクリーンの二つの最も重要なタイプは、一方ではＬＣＤスクリーンであり、また他方ではプラズマ表示装置を使用するスクリーンであって、以後プラズマスクリーンと省略する。
【０００３】
両タイプのフラットスクリーンは、作動されたときに熱を発生し、これをできる限り迅速、かつ、安全に取巻ハウジングから発散させなければならない。相当量の熱が特にプラズマスクリーンによって発生される。これはそれぞれのガス混合物が発光プラズマ状態に変換するのに高電圧が必要だからである。
【０００４】
（従来技術）
プラズマスクリーンの冷却は、従来的に複数の活動ファンによって実行される。監視されない動作中、ファンの内の一つまたは複数の故障が発熱ユニットまたは全スクリーンの破壊につながることがある。さらに、ファンはフラットスクリーンのために設けられたハウジング内の付加的なスペースを必要とし、従って、その総深さが大きくなる。その上、ファンの使用が家庭での使用（例えば、テレビセット）および専門的に機器（例えば、監視モニター）が使用されるときに不愉快にする知覚されるサイドノイズを引き起こす。
【０００５】
（発明の概要）
従って、本発明の目的は、フラットスクリーンを取り付けし、冷却するための極めて小型の装置を、サイドノイズを発生させることなく発生された熱を非常に安全に放出すると同時に、保守および修理作業を最小に減らすことによって提供する。
【０００６】
この目的は、フラットスクリーンと熱発生電気および電子ユニットを収容するためのハウジングと、これらのユニットによって発生された熱をハウジングの背面に配置された熱伝導板に伝導するための少なくとも一つの熱ブリッジとからなり、板がこの板の高速冷却のためのプロフィールを備えている装置において、板がハウジングの背壁を形成し、プロフィールがハウジングの背面上に複数の煙突状キャビティを形成し、キャビティが各々下方端部と上方端部からなり、冷却空気をそれぞれのキャビティ内に供給するための少なくとも一つの開口部が下方端部に形成され、また、加熱された空気をキャビティから大気中に放出するための少なくとも一つのアウトレット開口部が上方端部に形成されており、ハウジングの背壁にキャビティのエリア内に配置された複数の貫通ホールが設けら貫通ホールが発熱ユニットと背壁間に配備されたスペースへ空気を供給し、また、これから空気を放出する作用をするフラットスクリーンを取付け、冷却する装置によって達成される。
【０００７】
動作中フラットスクリーンを取り付け、冷却するための本発明による装置はフラットスクリーンおよびたぶんさらに発熱電気および（または）電子ユニットを収容するハウジングと、さらにその電子制御要素を含む少なくともフラットスクリーンによって発生された熱をハウジングの熱伝導性背壁に伝導する熱ブリッジからなる。背壁には複数の煙突状キャビティが設けられており、それぞれのキャイビティ内に冷却空気を供給するための各々その下方端部に少なくとも一つの開口部を有し、また加熱された空気を大気中に放出するための各キャビティの上方端部内に少なくとも一つのアウトレット開口部を有している。これによって相当量の熱が、冷却装置の故障の危険性を冒すことなく外部に搬出することができる。
【０００８】
熱の伝導性によって大気に直ちに熱の主要部分を伝導できるようにするために、ハウジングの背壁に向けて熱伝導性材料からなる熱ブリッジが、ハウジングフレームに固定されたプリント回路板の少なくとも一つの位置に取り付けられるのが好ましい。フラットスクリーンの複数の熱伝導性要素がプリント回路板上に配備され、スクリーンの動作状態中、熱ブリッジが背壁に係合される。
【０００９】
熱の交換によって付加的な冷却をするために、ハウジングの背壁は複数の貫通ホールが設けられているのが好ましく、プリント回路板と背壁間に設けられたスペース内に空気を供給し、あるいはここから空気を放出する作用をする。
【００１０】
動作中に発生され、またプリント回路板と前面端部上に配備されたガラス板間に存在する空気を容易に伝導させるために、少なくとも一つのチャネルが設けられるのが好ましく、これを通して空気をプリント回路板と背壁間のスペースに到達させる。
【００１１】
装置のより融通性のある形態を得るために、プロフィールを背壁にねじ止めすることが有利である。
【００１２】
装置をその最大許容外気温に関する安全調整を容易に満たすことを達成するために、煙突状キャビティが各々、外側に向かって丸みのある端を有する好ましくはカートリッジ状部を備えている。
【００１３】
個々の煙突状キャビテイは隔置されているのが好ましく、これによってキャビティとＵ字状キャビテイの壁間のスペース内の連結面の付加的な空気冷却が発生する。
【００１４】
ハウジングフレームと背壁は、軽量、かつ容易に稼働する押出アルミニウム・プロフィールで形成されるのが好ましい。
【００１５】
装置に視覚的美観を保させながら安定性を得るために、フレーム・ピースはレーザ溶接によって結合されるのが有利である。
【００１６】
本発明のさらなる詳細、特徴および利点は添付図面を参照しての次なる説明から見出すことができる。
【００１７】
（発明の好ましい実施系体温詳細な説明）
図１はフラットスクリーンを取り付け、冷却するための本発明による装置１の好ましい実施形態を背面から見た斜視図である。装置１はハウジング２からなり、フラット・ハウジングフレーム３と、プロフィール５を有する背壁４から形成されている。前記背壁は内部構造が見えるように破断して示している。ガラス板が、スクリーンにおいては一般的であるが、ハウジング２の前面上に配備されている。ハウジングフレーム３が複数のフレーム・ピースで形成されているのが好ましく、押出アルミニウムプロフィールから形成され、次に、好ましくはレーザ溶接によって互いに結合されている。プリント回路板７が適切な固定手段を介してフレームに固定されている。フラットスクリーンの作動に必要とされる回路および（または）駆動ユニットが、前記プリント回路板上に配備されている。プリント回路板７は、このプリント回路板と背壁４間にスペース１０が生じて、空気がこのスペース内に入るようにして、フレーム３に固定されている。このスペース１０は、チャネル（図示省略）を介してプリント回路板７と最終ガラス板間のエリアと連絡している。プリント回路板７と背壁４間を連結するための熱ブリッジ８が、プリント回路板７の数か所に形成されている。これらの熱ブリッジ８はアルミニウムブロックとして形成されるのが好ましく、あるいはこれらは同様の熱伝導性材料から構成される。
【００１８】
図２は本発明による装置の実施形態の組み立て状態にある背面から見た斜視図である。プロフィール５がねじ２１によって背壁４に固定されており、各々複数の煙突状キャビティ６からなり、垂直方向に突出している。それらの下方端部１２において、キャビティ６が各々インレット開口部１５と、それらの上方端部１４にアウトレット開口部１６を有している。さらに、背壁４自体がこのような煙突状キャビティ６を一体形成することも考えられる。プロフィール５がねじ止めされている二つの部分間に、付加的ボックス１８を背壁４に連結することもできる。本ケースにおいては、例えば、電源、ＶＧＡ（ビデオグラフィックスアレイ）カードおよびフラットスクリーンのための駆動電子ユニットが収容される。これに収容された要素の熱放出は、例えば、熱ブリッジを介して背壁４に、またはエアホールを介して大気に実行される。
【００１９】
図３はプロフィール５の好ましい実施形態の断面図を示す。このプロフィールは
水平連結面１９を介して互いに連結されたＵ字状ふくらみ２０からなる。前記ふくらみは一定間隔で近接配置されている。二つのこのようなふくらみ２０間の間隔はふくらみ２０の横方向間隔にほぼ等しい。
【００２０】
このようなプロフィール５が、図４にし示すように適切なねじ２１または別の固定デバイスを介して背壁４に連結されておれば、煙突状キャビティ６は背壁５とプロフィール５のふくらみ２０間に形成され、前記キャビティはカートリッジ状方式で形成され、ふくらみ２０の丸み端が外方を指すようになる。Ｕ字状ふくらみ２０の脚部が長くなればなるほど、冷却効果はますますよくなる。組み立て状態において、連結面１９は背壁４に直接係合しているので、熱伝導による熱移動はこれらの連結面で行われる。プロフィール５と背壁４は、押出アルミニウムプロフィールで形成されるのが好ましい。
【００２１】
図５は本発明による装置１の背壁４の実施例を示す。本実施例において、背壁４は三つの一体形成面２２、２３および２４からなる。面２２と２３の両者は、これらがプリント回路板７に配置された熱ブリッジ８に強固に接触するような取り付け状態になる方式で構成されている。中央面２４は作動ボックス１６のアタッチメントのために設けられている。例えば、正方形状貫通ホール１７の複数の垂直方向延長列が、プロフィールキャビティ６の間隔で残りの背壁４上に設けられている。付加的リブまたは他の面拡大部が、貫通ホール１７の二つの列間で背壁４の内側に配備され、スペース１０内に存在する空気からのよりよい熱収集を提供している。
【００２２】
フラットスクリーンの作動中、プリント回路板上に配備されたフラットスクリーンの発熱要素が熱くなり、その熱が熱ブリッジ８を介してハウジング２の背壁４の閉止面２２、２３へ直接放出される。放出熱が背壁４からプロフィールの連結面１９とふくらみ２０に分散され、キャビティ６内の空気に、または大気中に放出される。キャビティ中の加熱空気が上方向に流れ、開口部１６を介して大気へ放出され、一方これと同時に冷却空気が開口部１５を通って底部から流入する。連結面１９とふくらみ２０が熱を外部から周囲の空気中に放出する。ここでは表面拡大の公知の原理を使用している。さらに、キャビティ６を互いに直接接近させて配備することも考えられる。プリント回路板と前面ガラス板間に存在する空気は、厳しく加熱され、横方向に複数のチャネルとプリント回路板の上部を介してスペース１０内に伝導するとともに、貫通ホール１７を通って、特にスペース内に存在する空気と一緒に上方貫通ホール２５を通って煙突状キャビティ６内に伝導し、またここがプリント回路板７の要素によって加熱される。キャビティの吸入作用のために、加熱空気がアウトレット開口部１６を通って上方向に大気へ放出される。これと同時に、冷却空気がさらに下方向に配備された貫通ホールと、プリント回路板７と前面ガラス板間のエリア内の貫通連結チャネルを通ってスペース内に流れる。
【００２３】
相当量の熱が上述したメカニズムによって大気に運ばれるので、装置の安全のルールに基づいて観測されるべき外面での４２℃の制限温度は、決してハウジングフレームにもプロフィールにも達することはない。
【００２４】
またハウジング内にフラットスクリーンを作動するためのさらなる電気および（または）電子ユニット、すなわち、母板を一体形成し、またこれによって発生された付加的な熱を同様の冷却機構を介して放出することも考えられる。
【図面の簡単な説明】
【図１】フラットスクリーンを取り付け、冷却するための本発明による装置の好ましい実施形態の透視概略背面図である。
【図２】本発明による装置の好ましい実施形態の背面図である。
【図３】プロフィールの好ましい実施形態による断面図である。
【図４】図２による装置の平面図である。
【図５】フラットスクリーンを取り付け、冷却するための本発明による装置の背面の好ましい実施形態の概略背面図である。
【図１】
0003800327.tif 000002
【図２】
0003800327.tif 000003
【図３】
0003800327.tif 000004
【図４】
0003800327.tif 000005
【図５】
0003800327.tif 000006